(57)【特許請求の範囲】
【請求項１】
バーナに燃料を供給するための燃料通路と、
前記燃料通路を通過する燃料の量を制御し前記燃料通路における燃料の通過を阻止する閉止機能を有する流量制御弁と、
前記流量制御弁を駆動する駆動手段及び前記駆動手段を駆動するための制御部と、
前記駆動手段及び制御部の電源となる電池が装填されると共に該電池の正負の各電極と接触する接触端子が設けられる電池ケースと、
前記電池ケースが収納される電池収納部と、
前記電池が装填された電池ケースが電池収納部から取り出された状態においても前記電池から前記制御部への電源の供給を可能とする前記電池ケースの前記接触端子と前記制御部とを電気的に接続する接続手段と、
前記電池収納部からの前記電池ケースの取り出しが行われる前の状態であるケース取り出し前状態を検出する前状態検出手段と、
前記前状態検出手段がケース取り出し前状態を検出してから前記電池ケースが前記電池収納部から取り出されるのを牽制する電池交換牽制手段と、を備え、
前記制御部は、
前記前状態検出手段がケース取り出し前状態を検出した場合に前記駆動手段を駆動して前記燃料通路を閉止する流量制御弁閉止処理を実行することを特徴とする調理器。
【請求項２】
前記電池収納部は、前記電池収納部に前記電池ケースが収納された際に閉じられ前記電池収納部から前記電池ケースが取り出される際に開かれる電池ケース扉を備え、
前記電池ケース扉が閉じた状態から前記電池ケース扉が開いた状態への移行を検出する扉開放検知手段を前状態検出手段として備えることを特徴とする請求項１記載の調理器。
【請求項３】
電池ケース扉に閉じる力を作用させる閉扉手段を備えることを特徴とする請求項２記載の調理器。
【請求項４】
電池交換牽制手段として、音声メッセージを発する音声報知手段又はランプの点灯や文字・図形・記号の表示により報知を行う表示報知手段を備えることを特徴とする請求項１〜３のいずれか一項に記載の調理器。
【発明の詳細な説明】
【技術分野】
【０００１】
本発明は、電池を電源とする調理器の安全性を向上させる技術に関する。
【背景技術】
【０００２】
従来より、電源として家庭用交流電源を使用する調理器において、停電時用のバックアップ電源と停電判定手段を有し、停電判定手段が停電と判定した場合に、バックアップ電源により燃料通路を閉止するものが知られている（例えば特許文献１参照）。
【０００３】
調理器の電源として電池を使用する場合においては、上記停電と判定される事象として電池の取り外しが想定される。
【０００４】
バックアップ用処理（特に流量制御弁を閉止する処理）が確実に実行されるようにするためには、バックアップ用電源は常に充電状態に保つ必要がある。ここで、調理器の電源として家庭用交流電源を使用するものにおいては、家庭用交流電源によりバックアップ用電源を常に充電状態に保つようにしても特に支障は生じない。しかし、調理器の電源として電池を使用するものにおいては、電池によりバックアップ用電源を常に充電状態に保とうとすると、バックアップ用電源の充電に電池の電気エネルギが消費されることになり、電池を交換する頻度が高くなってしまう恐れがある。
【０００５】
特に、バックアップ用電源としてコンデンサを用いる場合には、コンデンサの漏れ電流による充電電圧の継続的な低下を補うために電池の電気エネルギが常に消費されるから、電池を交換する頻度が高くなってしまう。
【０００６】
またバックアップ用電源として、調理器の電源用の電池とは別にバックアップ用の電池を用いる場合には、ガス通路の遮断に要する短時間のバックアップ用処理のために電池を使用することになり経済的でない。
【先行技術文献】
【特許文献】
【０００７】
【特許文献１】特許第２５６３７５８号公報
【発明の概要】
【発明が解決しようとする課題】
【０００８】
本発明は上記従来の問題点に鑑みて発明したものであって、その目的とするところは、電源として電池を使用する調理器において、電池の交換頻度を高くすることなく、また、別の電源を用いることなく、電池の取り外しが行われる場合の安全性を確保することができる調理器を提供する。
【課題を解決するための手段】
【０００９】
上記課題を解決するために、本発明は、以下のような構成とする。
【００１０】
バーナに燃料を供給するための燃料通路と、前記燃料通路を通過する燃料の量を制御し前記燃料通路における燃料の通過を阻止する閉止機能を有する流量制御弁と、前記流量制御弁を駆動する駆動手段及び前記駆動手段を駆動するための制御部と、前記駆動手段及び制御部の電源となる電池が装填されると共に該電池の正負の各電極と接触する接触端子が設けられる電池ケースと、前記電池ケースが収納される電池収納部と、前記電池が装填された電池ケースが電池収納部から取り出された状態においても前記電池から前記制御部への電源の供給を可能とする前記電池ケースの前記接触端子と前記制御部とを電気的に接続する接続手段と、前記電池収納部からの前記電池ケースの取り出しが行われる前の状態であるケース取り出し前状態を検出する前状態検出手段と、前記前状態検出手段がケース取り出し前状態を検出してから前記電池ケースが前記電池収納部から取り出されるのを牽制する電池交換牽制手段と、を備え、前記制御部は、前記前状態検出手段がケース取り出し前状態を検出した場合に前記駆動手段を駆動して前記燃料通路を閉止する流量制御弁閉止処理を実行することを特徴とする。
【００１１】
これにより、電池が取り外される前の段階で流量制御弁閉止処理が開始され、電池が取り外されるまでに流量制御弁閉止処理を完了することができて、電池が取り外された状態では流量制御弁が閉止されていて安全である。また、電池交換牽制手段により、ケース取り出し前状態が検出されてから電池ケースが取り出されるのが牽制され、電池が取り出されるまでの時間を稼ぐことができて、流量制御弁閉止処理を実行する時間を確保することができる。
【００１２】
また請求項２に係る発明は、請求項１に係る発明において、前記電池収納部は、前記電池収納部に前記電池ケースが収納された際に閉じられ前記電池収納部から前記電池ケースが取り出される際に開かれる電池ケース扉を備え、前記電池ケース扉が閉じた状態から前記電池ケース扉が開いた状態への移行を検出する扉開放検知手段を前状態検出手段として備えることを特徴とする。
【００１３】
これにより、扉が開かれた状態をケース取り出し前状態とすることができるため、扉開放検知手段により前状態検出手段を容易に構成することができる。
【００１４】
また請求項３に係る発明は、請求項２に係る発明において、電池ケース扉に閉じる力を作用させる閉扉手段を備えることを特徴とする。
【００１５】
これにより、電池ケースが電池収納部に収納された状態から取り出されるのが牽制され、電池が取り出されるまでの時間を稼ぐことができて、流量制御弁閉止処理を実行する時間を確保することができる。
【００１８】
また請求項４に係る発明は、請求項１〜３のいずれか一項に係る発明において、電池交換牽制手段として、音声メッセージを発する音声報知手段又はランプの点灯や文字・図形・記号の表示により報知を行う表示報知手段を備えることを特徴とする。
【００１９】
これにより、ケース取り出し前状態が検出されてから電池が交換されることが防止できるため、流量制御弁閉止処理を実行する時間を確実に確保することができる。
【発明の効果】
【００２０】
本発明は、電池が取り外される前の段階で流量制御弁閉止処理が開始され、電池が取り外されるまでに流量制御弁閉止処理を完了することができて、電池が取り外された状態では流量制御弁が閉止されていて安全となる。
【図面の簡単な説明】
【００２１】
【図１】本実施形態のガスこんろの全体斜視図である。
【図２】同上のガスこんろの燃料ガスの供給を説明する図である。
【図３】流量制御弁を説明する断面図である。
【図４】電池収納部付近の斜視図である。
【図５】電池ケースの脱着機構を示し、（ａ）は電池ケースの収納位置を示し、（ｂ）は電池ケースを収納位置から途中まで引き出した状態を示す側面断面図である。
【図６】同上の掛け止め状態にある電池ケースと電池収納部の底面図である。
【図７】制御部への給電に関わる回路構成を示す回路図である。
【発明を実施するための形態】
【００２２】
以下、本発明を添付図面に示す実施形態に基いて説明する。
【００２３】
調理器としてのガスこんろ１は、図１に示すように、上方に開口する箱状をした筐体１０と、筐体１０の上方への開口を閉塞しガスこんろ１の天面部となるガラス製のトッププレート１１と、で外殻が構成される。
【００２４】
トッププレート１１にはこんろバーナ２５を備えた加熱部２が複数設けてある。図１に示す実施形態では、加熱部２として、標準バーナ２ａ、小バーナ２ｂ、高火力バーナ２ｃの計三個のこんろバーナ２５が設けてある。図１中の符号２１は五徳である。
【００２５】
ガスこんろ１内にはグリルバーナを備えたグリル庫が設けてあり、グリル庫の前開口は、ガスこんろ１の前面に設けたグリル扉１２によって開閉自在に閉塞される。
【００２６】
また、各加熱部２には、被加熱物検知手段２２が設けてある。被加熱物検知手段２２は、五徳２１に被加熱物が載置された状態にあるか否か、即ち、各こんろバーナ２５上に被加熱物が配置された状態にあるか否かを検知するものである。
【００２７】
ガスこんろ１の前面部を構成する前面パネル１３には、各加熱部２を操作するためのつまみダイヤル装置からなる操作部１４がそれぞれ設けてある。
【００２８】
各操作部１４は手動で操作されて対応するこんろバーナ２５の点火及び消火の切り替えや火力調節を指令するものであり、これを受けて制御部が各こんろバーナ２５の点消火の切り替えや火力調節を行う。
【００２９】
前面パネル１３の各操作部１４の下側には対応するこんろバーナ２５の調理の設定を指令するための設定手段を構成する設定入力パネル１５が設けてあり、この設定入力パネル１５を操作することで、こんろバーナ２５毎に、調理タイマーモード、湯沸しモード、炊飯モード等の自動調理モードを設定できるようになっている。
【００３０】
また、前面パネル１３における向かって左側の部位には、グリルバーナの点火及び消火の切り替えや火力調整を指令するための設定入力パネル１６が設けてある。また、設定入力パネル１６の上側には電池収納部５が設けられるもので、後で詳述する。
【００３１】
上記設定入力パネル１５、１６によるモード設定なしの状態で調理を行う場合、前面に設けた電源スイッチ１７をＯＮにした後、操作部１４を押し操作して制御部に点火の指令を送る。この指令を受けると制御部は、後述するガス供給路２６の元電磁弁２７を開き、且つ任意のこんろバーナ２５又はグリルバーナに対応する流量制御弁を所定開度で開くと共に点火プラグ２４をスパークさせ、こんろバーナ２５又はグリルバーナを点火する。これにより、こんろバーナ２５の炎により対応する五徳２１上に載置した被加熱物を加熱したり、グリルバーナの炎によりグリル庫内の肉や魚を焼くことができる。
【００３２】
調理器には、マイクロコンピュータからなる制御部が設けられる。制御部には、各バーナ（こんろバーナ２５、グリルバーナ）に設けてある炎検出手段としての熱電対２３（図２参照）の起電力が入力され、制御部は入力された起電力が所定値以上になったときに、設定入力パネル１５、１６又は／及びトッププレート１１に設けてある表示部に備える燃焼ランプ（それぞれのバーナに対応する燃焼ランプ）を点灯させる。
【００３３】
各こんろバーナ２５及びグリルバーナには、燃料を供給するための燃料通路が接続されるもので、本実施形態では燃料通路として、都市ガス等の燃料ガスを供給するガス供給路２６からそれぞれ分岐する分岐路２６ａが接続されている。
【００３４】
また、前記燃料通路を通過する燃料の量を制御すると共に、前記燃料通路における燃料の通過を阻止する閉止機能を有する流量制御弁３と、前記流量制御弁３を駆動する駆動手段が設けられる。本実施形態では駆動手段として、燃料ガスの供給量の調節を行うためステッピングモータ３０が設けられ、このステッピングモータ３０により駆動されて後述するスライド閉子の開度位置の微調整がなされる。なお、駆動手段はステッピングモータ３０ではないモータでもよく、特に限定されない。また、前記スライド閉子の開度位置を検出する位置検出手段４が設けられ、これらについては後で詳述する。更に、各分岐路２６ａに通電により開弁が保持される元電磁弁２７が設けられる。
【００３５】
元電磁弁２７と、流量制御弁３を駆動するステッピングモータ３０とは、制御部により制御が行われ、位置検出手段４における検出情報は制御部に読み込み処理される。また、流量制御弁３は、対応するこんろバーナ２５が使用されない時には、流量を零にして遮断状態となるように閉止される。
【００３６】
流量制御弁３について説明する。図３に示すように、流量制御弁３の本体３１内には空洞３１ａが形成され、空洞３１ａの内面の一部に本体３１外に連通するガス入口３２が形成されると共に該ガス入口３２とは別の箇所にガス出口３３が形成され、空洞３１ａは燃料通路の一部となる。前記空洞３１ａには、スライド閉子３４と流量チップ３５と付勢部材３６とが設けられる。また元電磁弁２７は、ガス入口３２を開放したり閉塞したりするものである。
【００３７】
スライド閉子３４は、連通用孔３４ａが貫通形成されて、空洞３１ａのガス出口３３の周囲の内面（出口近傍面という）に当接しこの面に沿ってスライド自在となるように設けられる。スライド閉子３４がスライドすることで、前記空洞３１ａのガス出口３３が連通用孔３４ａに連通したりスライド閉子３４により閉塞されたりする。
【００３８】
流量チップ３５は板状をしたもので、その板面の面積は少なくともスライド閉子３４の連通用孔３４ａよりも大きく、また、板面に略垂直に貫通する複数の流量制御孔（図示せず）が穿設されている。流量チップ３５は、スライド閉子３４の出口近傍面に当接する面と反対側の面に当接し、コイルばね等からなる付勢部材３６によって付勢される。付勢部材３６は、流量チップ３５のスライド閉子３４に当接する面と反対側の面と、空洞３１ａの出口近傍面と対向する面と、の間に圧縮された状態で配設され、スライド閉子３４を出口近傍面に圧接させている。スライド閉子３４には、前記空洞３１ａの出口近傍面に沿ってスライドする方向の一端部にスピンドル３７が接続される。
【００３９】
スピンドル３７は、前記空洞３１ａの側壁の一部に穿設されたスピンドル挿通孔を介して空洞３１ａの内外に挿通されるもので、形状は特に限定されないが、本実施形態では概ね棒状をしたものである。そして、棒状をしたスピンドル３７の長手方向の一端は空洞３１ａの内側に位置してスライド閉子３４が接続され、他端は空洞３１ａの外側に位置して雌ねじ部３７ａが形成される。またスピンドル３７は、スピンドル挿通孔を通して長手方向にスライド自在となり、スピンドル挿通孔とスピンドル３７外面との間には隙間を閉塞するグリースが充填されてシールがなされる。
【００４０】
また、スピンドル３７が空洞３１ａ（流量制御弁３の本体３１）に対して相対的に長手方向廻りに回転しないように回り止め手段が設けられる。例えば、図示しないが、スピンドル挿通孔を円形以外の例えば矩形等の形状に形成し、スピンドル３７のスピンドル挿通孔に挿通される部分の断面形状をスピンドル挿通孔と同様の形状に形成して、回り止め手段を構成してもよい。
【００４１】
空洞３１ａの外側には、スピンドル３７及びスライド閉子３４をスライドさせるステッピングモータ３０が、流量制御弁３に対して位置が固定された状態で設けられる。ステッピングモータ３０の出力軸は、その先端部の外面に雄ねじ部３０ａが形成され、この雄ねじ部３０ａがスピンドル３７の雌ねじ部３７ａに螺入されている。なお、スピンドル３７の他端部の外面に雄ねじ部３０ａが形成されると共に、出力軸の先端部に雌ねじ部３７ａが形成されてもよい。
【００４２】
ステッピングモータ３０の出力軸が回転するとその雄ねじ部３０ａが回転するが、回り止め手段によりスピンドル３７の回り止めがなされているため雌ねじ部３７ａは出力軸と共に回転せず、螺合位置が変化することでスピンドル３７の長手方向へのスライド及びスライド閉子３４のスライドがなされる。また、スライド閉子３４がスライドした際に流量チップ３５がスライド方向に動かないようにするためのスライド阻止手段（図示せず）が設けられる。スライド阻止手段は、例えばスライド閉子３４と流量チップ３５との摺動面に潤滑材を塗布したり、流量チップ３５を流量制御弁３の本体３１に連結したりすることで構成される。
【００４３】
スライド閉子３４のスライドにより連通用孔３４ａとガス出口３３とが連通した状態においては、連通用孔３４ａと流量チップ３５の流量制御孔との連通面積に応じて、空洞３１ａからガス出口３３外へと流出するガスの流量が制御される。図３に示すスライド閉子３４の位置が、前記ガスの流量が最大となる位置（ガス流量最大位置）であり、スライド閉子３４がスピンドル３７側へスライドすることで、連通用孔３４ａと流量制御孔との連通面積が小さくなってガスの流量が減少し、連通用孔３４ａとガス出口３３とが連通しない位置（閉塞位置）になると燃料通路が遮断されガスの流量が零になる。
【００４４】
また、スピンドル３７の位置検出手段４が設けられ、位置検出手段４によりスピンドル３７の位置及びスライド閉子３４の位置が検出されることで、連通用孔３４ａとガス出口３３との連通の有無・連通用孔３４ａと流量制御孔との連通面積が分かり、ガスの流量が間接的に検出可能となる。本実施形態では、スピンドル３７に設けられる位置検出用ブラシ４１と、流量制御弁３の本体３１に固定される位置検出部４２と、で位置検出手段４が構成される。また本実施形態では、スライド閉子３４のガス流量最大位置から閉塞位置までの移動距離は１３．２ｍｍとなり、ステッピングモータ３０の出力軸の回転によりスライド閉子３４が移動する速度が１３．３３ｍｍ／秒となるものであるため、スライド閉子３４が閉塞位置まで移動する時間は１秒以内である。
【００４５】
図４、図５に示すように、前面パネル１３の左側の部位において、設定入力パネル１６の上に前面開口部５ａが形成され、その内方に電池ケース６が収納される空所からなる電池収納部５が形成される。電池ケース６に収納される電池は、駆動手段（ステッピングモータ３０）、制御部、元電磁弁２７の電源となるもので、電池ケース６には、収納される電池の正負の各電極と接触する接触端子（図示せず）が設けられる。
【００４６】
電池収納部５の前面開口部５ａには、前面から覆う電池ケース扉８が設けられる。電池ケース扉８は正面視略矩形状をしており、その一辺（本実施形態では前面パネル１３の左の側端部に近い辺）がガスこんろ１の筐体１０に枢支されて、この辺を中心に反対側の辺が回動自在となるように構成されている。電池ケース６が電池収納部５に収納されて、電池ケース扉８が前面開口部５ａを閉塞した時（この状態を「閉じ状態」とする）に、電池ケース扉８の前面と前面パネル１３における他の部分の前面が略同一面となるように構成されている。
【００４７】
開かれた電池ケース扉８が閉じると共に、電池ケース扉８が閉じ状態を維持するようにするため、電池ケース扉８に常に閉じる力を作用させる閉扉手段８１が設けられる。閉扉手段８１は、例えば本実施形態のように回転力を付与する付勢バネが好適に用いられるが、特に限定されないものである。
【００４８】
電池ケース扉８が閉じる方向に回転力が作用していることにより、後述する電池ケース６の脱着時においては、電池ケース扉８が電池ケース６の脱着の邪魔にならないように電池ケース扉８を支えながら電池ケース６の脱着を行う必要がある。
【００４９】
電池収納部５の前面には、電池ケース扉８が閉じ状態から少し開いたことを検出する扉開放検知手段が設けられる。本実施形態では、扉開放検知手段は、電池ケース扉８が閉じ状態のときに接点が開いてＯＦＦとなり、電池ケース扉８が閉じ状態から少し開いたときに接点が閉じてＯＮとなるスイッチで構成されている。これにより、前記電池収納部５からの前記電池ケース６の取り出しが行われる前の状態（以下「ケース取り出し前状態」という）を検出する前状態検出手段が構成される。
【００５０】
図５、図６を参照して電池ケース６の脱着機構を説明する。電池ケース６は、後述するが、上方に開口し内部に電池が収納される略矩形箱状をしたもので、収納される電池の種類や個数は限定されない。電池ケース６の下端面６ａには、前後方向に離間してケース前爪６１とケース後爪６２とが設けられている。電池ケース６の下端面６ａと対向する電池収納部５の底面５ｃの中央には、上記ケース前爪６１とケース後爪６２とがそれぞれ係脱可能に挿入される前後方向溝５１が前後方向に長く形成されている。
【００５１】
図６に示すように、電池ケース６の底板６ｃの中央部分を支点６３にして前後方向にそれぞれアーム片６４、６５が形成されている。後側のアーム片６５にはケース後爪６２が形成され、前側のアーム片６４にはケース前爪６１が形成されている。各アーム片６４、６５は、いずれも、周囲のスリット６７、６８によって電池ケース６の底板６ｃ中央部分を支点６３にして上方向に弾性変位可能となっている。さらにケース前爪６１の先端は電池ケース６の前板６ｄ側に設けたＬ字状の屈曲部６９の一端に連設され、屈曲部６９の他端は後述する下側片７２に連設されている。
【００５２】
図５（ａ）のようにケース前爪６１が前後方向溝５１の前端縁５１ａに当接した状態では、そのままでは電池ケース６を前方Ｆに引出せないものであり、ケース前爪６１および前端縁５１ａにより電池交換牽制手段が構成される。
【００５３】
電池ケース６の前板６ｄには、図５（ｂ）に示すように、上側片７１と下側片７２とからなる操作部７が設けられており、上側片７１及び下側片７２を指で上下から摘むことにより、下側片７２と連設されているケース前爪６１のみが電池ケース６の底板６ｃの中央部分を支点６３にして上方向Ｕに撓むようにして持ち上がってケース前爪６１が前後方向溝５１から離脱するようになるが、上側片７１及び下側片７２を指で上下から摘まない限り、ケース前爪６１は持ち上がらず前後方向溝５１から離脱できず電池ケース６を前方Ｆに引出せないものであり、上側片７１及び下側片７２により電池交換牽制手段が構成される。これにより、操作部７によりケース前爪６１が前後方向溝５１から離脱することで、ケース後爪６２が前後方向溝５１の前端縁５１ａに当たるまで、電池ケース６は前方Ｆに引出し可能となる。
【００５４】
なお、ケース後爪６２が前後方向溝５１の前端縁５１ａに当たった状態では、電池を電池ケース６から抜き取ろうとしても、取り出すために持ち上げた電池に電池収納部５の天井面５ｂが干渉するため電池は電池ケース６から抜き取ることができないものであり、ケース後爪６２および前端縁５１ａにより電池交換牽制手段が構成される。
【００５５】
また、電池ケース６の上端面６ｂと電池収納部５の天井面５ｂとの間には、図５（ａ）に示すように、前後方向溝５１に対するケース後爪６２の掛かり代Ｋ（図５（ａ）のケース後爪６２の高さ寸法）よりも幅広の上下方向隙間Ｇが設けられている。この上下方向隙間Ｇにより、ユーザーが電池ケース６を意識的に持ち上げることにより、ケース後爪６２と前後方向溝５１との係合が解除され、電池ケース６を手前に引き出せるようになっている。電池ケース６を手前に引き出した状態では、取り出すために持ち上げた電池に電池収納部５の天井面５ｂが干渉しないから電池は電池ケース６から抜き取ることができる。すなわち、操作部７を指で上下から摘むことで電池ケース６を所定寸法だけ前方Ｆに引き出した状態で、ケース後爪６２が前後方向溝５１の前端縁５１ａに当たる構造（ケースストッパー）により引き出し牽制状態となり、それ以上の電池ケース６の電池収納部５からの引き出しが牽制され、その所定寸法を超えて前方Ｆに引き出すためには、ユーザーが電池ケース６を意識的に持ち上げることにより引き出し牽制状態を解除する必要がある。このように電池交換牽制手段は、電池ケース６が電池収納部５から取り出される際の障害となって、電池ケース扉８が開かれてから電池が電池ケース６から取り出されるまでの動作が牽制され、電池が取り出されるまでの時間を稼ぐことができる。
【００５６】
なお、ケースストッパーの構成や電池交換牽制手段の構成としては種々の構造により構成可能であり、上記の構成に限定されない。
【００５７】
電池ケース６には、制御部の電源として用いられる電池（本実施例では２本）の正負の各電極とそれぞれ接触する二つの接触端子が設けられ、接触端子はそれぞれリード線Ｌからなる接続手段により図７に示すＳ１の上側端子部及びＲ４の下側端子部と接続される。前記リード線Ｌの長さは、電池ケース６が電池収納部５から完全に取り出された状態においても前記電池から前記制御部への電源の供給を可能とし、リード線Ｌが張力により断線するなどの不都合が生じない程度に余裕のある長さにしてある。
【００５８】
まず、電源スイッチ１７の操作と制御部への電源の供給との関係について図７に基づいて説明する。図７の電源回路において、本実施形態では電源部Ｂに電池を用いている。またスイッチＳ１はタクトスイッチにて構成され、使用者が電源スイッチ１７を押し操作（以下「電源入操作」という）している間だけスイッチＳ１がＯＮとなり、押し操作をやめるとスイッチＳ１がＯＦＦとなる。
【００５９】
ダイオードＤ１のカソードは制御部の電源供給端子Ｖｄに接続され、制御部のＧＮＤ端子が電源部Ｂの負極に接続され、電源部Ｂの正極から、トランジスタＴＲ１のエミッタ−コレクタ、ダイオードＤ１、制御部の電源供給端子Ｖｄ、ＧＮＤ端子、電源部Ｂの負極に至る電源供給回路が形成される。また制御部は、Ｖ１及びＶ２の二つの入力端子と、Ｖｃｏｎｔの出力端子と、を備えている。
【００６０】
電源入操作によりＴＲ３にベース電流が流れＴＲ３がＯＮしＴＲ３のコレクタ電流が流れると、ＴＲ１にベース電流が流れＴＲ１がＯＮして制御部に電源が供給される。一旦制御部に電源が供給されると、制御部はＶｃｏｎｔからＨｉｇｈ信号を出力しＴＲ５にベース電流が供給される。電源入操作完了に伴い電源スイッチ１７の押し操作をやめるとスイッチＳ１はＯＦＦしＴＲ３にはベース電流が流れなくなりＴＲ３はＯＦＦするが、ＴＲ５にベース電流が供給されることによりＴＲ５がＯＮしＴＲ５のコレクタ電流が流れＴＲ１のベース電流が供給されるから、ＴＲ１のコレクタ電流が流れ続けることにより、制御部への電源の供給は継続する。
【００６１】
ＴＲ４は制御部への電源供給状態における電源スイッチ１７の押し操作を検出するためのトランジスタである。制御部への電源供給状態において電源スイッチ１７が押し操作されると、スイッチＳ１がＯＮしＴＲ４にベース電流が供給されてＴＲ４がＯＮし、ＴＲ４がＯＮすることにより制御部の入力Ｖ１は、ＨｉｇｈからＬｏｗに変化する。また、電源スイッチ１７が押し操作を終了すると、スイッチＳ１がＯＦＦしＴＲ４のベース電流が遮断されてＴＲ４がＯＦＦしＴＲ４がＯＦＦすることにより制御部の入力Ｖ１は、ＬｏｗからＨｉｇｈに変化する。
【００６２】
ガスこんろ１の使用中に、前面に設けた電源スイッチ１７が操作されたときには、制御部が制御部への通電状態において入力Ｖ１の立下り（ＨｉｇｈからＬｏｗへの変化）を検出し、電源がＯＮの状態でスイッチＳ１がＯＮしたので電源をＯＦＦする操作がなされたと判断し、電源ＯＦＦ処理を実行する。
【００６３】
電源ＯＦＦ処理の一つ目は、前状態検出部がケース取り出し前状態を検出した場合にモータを駆動して燃料通路を閉止する流量制御弁閉止処理で、これについては後述する。
【００６４】
電源ＯＦＦ処理の二つ目は、制御部における内部情報を制御部に備える不揮発性メモリ（例えばＥＥＰＲＯＭ）に格納する処理である。制御部における内部情報には、ガスこんろ１の累積使用回数、および、こんろバーナ２５やグリルバーナの累積使用時間が含まれる。ガスこんろ１の累積使用回数、および、こんろバーナ２５やグリルバーナの累積使用時間を不揮発性メモリに格納することで、電池の交換時に制御部への電源が遮断されても、ガスこんろ１の累積使用回数、および、こんろバーナ２５やグリルバーナの累積使用時間についての情報を制御部に保持することができ、保持した情報はガスこんろ１の累積使用回数やこんろバーナ２５やグリルバーナの累積使用時間が所定値以上になったときに使用者にメンテナンスを促がす表示などの報知を行うことに使用できる。
【００６５】
電源ＯＦＦ処理の三つ目は、制御部への通電を停止する処理であり、制御部は、電源スイッチ１７が操作されたときに制御部への通電を停止するための処理をつぎのように実行する。
【００６６】
一旦制御部への電源の供給が開始された後は、前述のように、ＶｃｏｎｔからＨｉｇｈ信号を出力しＴＲ５にベース電流が供給されることによりＴＲ５がＯＮしＴＲ５のコレクタ電流が流れＴＲ１のベース電流が供給され、ＴＲ１のコレクタ電流が流れ続けることにより、制御部への電源の供給は継続されているが、制御部が制御部への通電状態において入力Ｖ１の立下り（ＨｉｇｈからＬｏｗへの変化）を検出した後に、入力Ｖ１の立上り（ＬｏｗからＨｉｇｈへの変化）を検出した時には、スイッチＳ１がＯＮの後にＯＦＦした、すなわち、使用者は電源スイッチ１７による電源ＯＦＦ操作を終了したと判断し、ＶｃｏｎｔをＨｉｇｈからＬｏｗに変化させる。
【００６７】
ただし、前述の制御部における内部情報を制御部に備える不揮発性メモリ（例えばＥＥＰＲＯＭ）に格納する処理、または、後述の流量制御弁閉止処理が完了していない場合は、前述の制御部における内部情報を制御部に備える不揮発性メモリ（例えばＥＥＰＲＯＭ）に格納する処理、および、後述の流量制御弁閉止処理の両方共に完了してからＶｃｏｎｔをＨｉｇｈからＬｏｗに変化させる。
【００６８】
後述の流量制御弁閉止処理の完了により全ての流量制御弁３が全閉となる上、電源ＯＦＦ時には通電により開弁が保持されていた元電磁弁２７が閉弁することで、全てのバーナへのガス供給流路が元電磁弁２７およびそれぞれのバーナ用の流量制御弁３により２重に燃料通路が遮断され、安全である。
【００６９】
ＶｃｏｎｔをＨｉｇｈからＬｏｗに変化させることにより、前述のＴＲ５によりＴＲ１のベース電流の供給が停止するからＴＲ１はＯＦＦし制御部への通電が停止する。
【００７０】
以下、流量制御弁閉止処理について説明する。
【００７１】
グリル、または、ガスこんろ１用の流量制御弁３のいずれか一つでも全閉ではない状態が流量制御弁３に備える位置検出手段４により検出されている場合は、全閉ではない状態が検出されている流量制御弁３のスライド閉子３４が全閉となる方向に移動するようにステッピングモータ３０を駆動する。
【００７２】
この時、全閉ではない状態が検出されている流量制御弁３が複数ある場合には、位置検出手段４により検出されるスライド閉子３４の位置により判断される、ガス入口３２から流入しガス出口３３から流出するガスの流量が大きい流量制御弁３ほど優先順位を高くして、優先順位が高い流量制御弁３からそのステッピングモータ３０を駆動する。
【００７３】
グリル、および、ガスこんろ１用の流量制御弁３の全てのスライド閉子３４が全閉の位置にあることが位置検出手段４により検出されることで流量制御弁閉止処理が完了する。
【００７４】
なお、グリル、および、ガスこんろ１用の流量制御弁３の全てが全閉である状態が流量制御弁３に備える位置検出手段４により検出されている場合は、この流量制御弁閉止処理は実行されない。
【００７５】
また、グリル、または、ガスこんろ１用の流量制御弁３のいずれか一つでも全閉ではない状態が流量制御弁３に備える位置検出手段４により検出されている場合に電池ケース６から電池が抜き取られると、通電により開弁が保持される元電磁弁２７は閉止しガスが遮断されるが、流量制御弁３が全閉ではない状態で停止してしまうことになる。
【００７６】
そこで使用者が電池を交換しようとした場合に、電池ケース６から電池が抜き取られる前に流量制御弁３が全閉となるように、以下の電池交換時処理を実行する。
【００７７】
使用者が電池を交換しようとしたときには、前述の電池ケース扉８を少し開いたときに扉スイッチの接点が閉じてＯＮする。図７においてＳ２が扉スイッチを表しており、扉スイッチＳ２がＯＮすると、制御部のＶ２がＬｏｗになる。
【００７８】
Ｖ２がＬｏｗであることを検出すると制御部は、前述の電源ＯＦＦ処理の一つ目の流量制御弁閉止処理と同様の処理を実行する。
【００７９】
前述のように、スライド閉子３４はガス流量最大位置からスライド閉子３４閉塞位置（全閉位置）へ１秒以内に移動するから、扉スイッチＳ２がＯＮした後に電池が電池ケース６から取り出されるまでに１秒より長い時間を要するようにしておくことで、電池ケース６から電池が抜き取られたときにも、通電により開弁が保持される元電磁弁２７はＯＦＦしガスが遮断され、流量制御弁３が全閉の状態で機器が停止することになり、通電により開弁が保持される元電磁弁２７およびそれぞれのバーナ用の流量制御弁３により２重に燃料通路が遮断され安全である。このように、扉スイッチＳ２がＯＮした後に電池が電池ケース６から取り出されるまでに１秒より長い時間を要することを確実にするために、上記電池交換牽制手段を備えるものである。
【００８０】
電池を電池ケース６から抜き取った後、電池が電池ケース６に装填されたときに、以下の電池交換初期処理を実行する。
【００８１】
電池を電池ケース６から抜き取った後、電池が電池ケース６に装填するときには、図７においてスイッチＳ２がＯＮした状態で電池が装填することになる。
【００８２】
電池を電池ケース６から抜き取った状態では図７のコンデンサＣに蓄積されている電荷はゼロであるから、スイッチＳ２がＯＮした状態で電池が装填されるとコンデンサＣ、抵抗Ｒ９、スイッチＳ２により、ＴＲ２にベース電流が流れることによりＴＲ２がＯＮし電池ケース６に装填と共に制御部に電源が供給される。
【００８３】
制御部に電源が供給されたとき、制御部の電池交換時初期化処理として、前述の電源ＯＦＦ処理の一つ目の流量制御弁閉止処理と同様の処理を実行する。
【００８４】
これにより、万が一、グリル、または、ガスこんろ１用の流量制御弁３のいずれか一つでも全閉ではない状態のときにも、電池が装填されるだけで、全てのバーナへのガス供給流路は、通電により開弁が保持される元電磁弁２７およびそれぞれのバーナ用の流量制御弁３により２重に燃料通路が遮断されるからなお一層安全である。
【００８５】
なお、Ｃに一旦充電された電荷は、電池ケース扉８が閉じ状態への移行によるＳ２のＯＦＦ（開）、または、電池の電池ケース６からの抜き取りにより、Ｄ３、Ｒ８を通して放電する。
【００８６】
また電池交換牽制手段としては、上記の他に、例えば音声メッセージを発する音声報知手段を備え（制御部が備える音声報知機能であってもよい）、扉スイッチがＯＮすることを検知し流量制御弁閉止処理が実行されている時には、「電池を交換しないで下さい」等の電池ケース６の抜き取りを牽制する音声メッセージを発するものであってもよい。閉扉手段８１を備え、電池交換牽制手段が上述したような、ケース前爪６１および前端縁５１ａからなるもの、上側片７１及び下側片７２からなるもの、ケース後爪６２および前端縁５１ａからなるもの、等の場合には、使用者が極めて要領良く電池ケース６を取り出したりあるいは取り出す動作に習熟すると、前状態検出部がケース取り出し前状態を検出してから短時間で（特に１秒以内で）電池が取り出され流量制御弁閉止処理が完了しない可能性が若干あるが、音声報知手段による報知を行うことで、電池の取り出しが行われず流量制御弁閉止処理が確実に完了する。
【００８７】
なお通常は、調理器の取扱説明書には、電池交換は電源スイッチ１７をＯＦＦにした後に行う旨が記載してあるが、一方、電池交換の頻度はできるだけ少なくて済むようにしてあり、新品の電池を装填した後は標準的なこんろ、グリルの使用を想定した場合に、略１年以上は電池交換不要であるようにしてあるから、電池交換の際には使用者が調理器の取扱説明書の記載内容を記憶していることは期待し難く、また、電池交換の際に使用者が取扱説明書を参照することも期待できないから、前記音声メッセージによる報知は流量制御弁閉止処理の確実な完了に大きく寄与する。
【００８８】
ちなみに、電源スイッチ１７の操作に応じた電源ＯＦＦ処理における流量制御弁閉止処理の実行中には扉開放検知手段のスイッチがＯＦＦしているから、前記音声メッセージは発せられることがない。また、電池交換時に扉開放検知手段のスイッチがＯＮしているときであっても、グリル、および、ガスこんろ１用の流量制御弁３の全てが全閉である状態が流量制御弁３に備える位置検出手段４により検出されている場合は、流量制御弁閉止処理は実行されないからこの場合も前記音声メッセージは発せられることがないから、使用者に不要な混乱を与えることがないものとなっている。
【００８９】
また電池交換牽制手段の更に他例として、例えばランプの点灯や文字・図形・記号の表示により報知を行う表示報知手段を備えてもよい。この場合、例えば設定入力パネル１５、１６又はトッププレート１１に設けてある表示部で視覚的に報知を行い、電池交換を牽制することができる。
【００９０】
なお、流量制御弁閉止処理の間における電池ケース６からの電池の抜き取りを牽制するという用途以外に使用される音声報知手段を備えない場合に、流量制御弁閉止処理の間における電池ケース６からの電池抜き取りを牽制するためだけに音声報知手段を設けるのは不経済であり、その場合は、表示部で牽制のための表示を行うほうが一般的に経済的である。
【００９１】
また、電池ケース扉８や扉スイッチを備えず、ケース前爪６１が前後方向溝５１から離脱したことをリミットスイッチなどにより検出するように構成し、電池ケース６の脱着機構における離脱をリミットスイッチが検出することにより流量制御弁閉止処理を実行しても良い。なお、前状態検出手段は、スイッチに限定されるものではなく、電池ケース扉８の開閉に連動する遮光板とフォトインタラプタ（フォトカプラ）の組み合わせ等、様々な形態が適宜使用可能である。
【００９２】
また、調理器の燃料としてはガスに限定されず、石油系燃料をはじめとする他の燃料であってもよく特に限定されない。
【符号の説明】
【００９３】
１    ガスこんろ
１０  筐体
１１  トッププレート
１２  グリル扉
１３  前面パネル
１４  操作部
１５  設定入力パネル
１６  設定入力パネル
１７  電源スイッチ
２    加熱部
３    流量制御弁
３１  本体
３１ａ  空洞
３２  ガス入口
３３  ガス出口
３４  スライド閉子
３４ａ  連通用孔
３５  流量チップ
３６  付勢部材
３７  スピンドル
３７ａ  雌ねじ部
３０  ステッピングモータ
３０ａ  雄ねじ部
４    位置検出手段
４１  位置検出用ブラシ
４２  位置検出部
５    電池収納部
６    電池ケース
６ａ  下端面
６ｂ  上端面
６ｃ  底板
６ｄ  前板
６１  ケース前爪
６２  ケース後爪
６３  支点
６４  アーム片
６５  アーム片
６７  スリット
６８  スリット
６９  屈曲部
７    操作部
７１  上側片
７２  下側片
８    電池ケース扉
８１  閉扉手段
Ｌ    リード線
【図１】
0005563903.tif 000002
【図２】
0005563903.tif 000003
【図３】
0005563903.tif 000004
【図４】
0005563903.tif 000005
【図５】
0005563903.tif 000006
【図６】
0005563903.tif 000007
【図７】
0005563903.tif 000008